(57)【要約】【課題】  限られた空間に設置されても有効に使用できる分別用ゴミ箱を提供すること。【解決手段】  分別用ゴミ箱は、ゴミ箱本体１１と、ゴミ箱本体１１の前面に設けられたパネル１２とを備え、パネル１２は、地面に対して上下方向に開閉可能である。また、パネル１２にはパネル１２を開方向に付勢する付勢手段としてバネ２６，２７が取付けられている。さらに、バネ２６，２７は、板状に構成されており、ゴミ箱本体１１の上部に設けられた軸２４，２５に巻き取られるように設置され、ゴミ箱本体１１の前面の上部から垂下してその先端がパネル１２の下端に取付けられている。【選択図】    図４
2005126161.tif 000002
【特許請求の範囲】
【請求項１】
ゴミ箱本体と、前記ゴミ箱本体の前面に設けられたパネルとを備え、
前記パネルは、地面に対して上下方向に開閉可能であることを特徴とする分別用ゴミ箱。
【請求項２】
前記パネルには、前記パネルを開方向に付勢する付勢手段が取付けられていることを特徴とする請求項１記載の分別用ゴミ箱。
【請求項３】
前記付勢手段は板状に構成されたバネとされ、このバネは、前記ゴミ箱本体の上部に設けられた軸に巻き取られるように設置され、前記ゴミ箱本体の前面の上部から垂下してその先端が前記パネルの下端に取付けられていることを特徴とする請求項２記載の分別用ゴミ箱。
【請求項４】
前記パネルの下端であって前記パネルの内側には、ラッチが設けられることを特徴とする請求項１から３のいずれか一項に記載の分別用ゴミ箱。
【請求項５】
前記ゴミ箱本体及び前記パネルは、押出し加工によって製造された押出し部材を組立てて形成されることを特徴とする請求項１から４のいずれか一項に記載の分別用ゴミ箱。
【請求項６】
前記押出し部材の材質がアルミニウムであることを特徴とする請求項５記載の分別用ゴミ箱。
【発明の詳細な説明】
【技術分野】
【０００１】
本発明は、分別用ゴミ箱に関する。
【背景技術】
【０００２】
近年要請されているゴミの分別化に伴い、小売店等の店頭には分別用ゴミ箱が設置されている。分別用ゴミ箱は、長方体状のゴミ箱本体を備え、そのゴミ箱本体内部に容器を収納するようになっている。この分別用ゴミ箱には、収納された容器の出し入れを行うために、ゴミ箱本体の上部にヒンジ結合され上方に回動して開閉可能な上蓋が設けられ、また、ゴミ箱本体の前面にヒンジ結合され前方に回動して開閉可能な前扉が設けられている（例えば、特許文献１参照）。
【特許文献１】特許第３１７１４３３号公報（第２−４頁、第１図）
【発明の開示】
【発明が解決しようとする課題】
【０００３】
上記従来の分別用ゴミ箱においては、狭い通路等の限られた空間に設置する場合、分別用ゴミ箱の前扉の開閉を完全に行うことができず、ゴミ箱本体からの容器の出し入れが不可能あるいは困難となってしまうという問題があった。また、分別用ゴミ箱の前扉が、ゴミ収集作業中あるいは作業後に完全に閉じられてなかったことによって開いた状態となっていた場合、その前扉が分別用ゴミ箱前方の限られた空間を支配し、その空間を利用する通行者等の障害となってしまうという問題があった。
【０００４】
本発明は、このような事情を考慮してなされたもので、限られた空間に設置されても有効に使用できる分別用ゴミ箱を提供することを目的とする。
【課題を解決するための手段】
【０００５】
本発明は、上記課題を解決するため、以下の手段を採用する。すなわち本発明に係る分別用ゴミ箱は、ゴミ箱本体と、前記ゴミ箱本体の前面に設けられたパネルとを備え、前記パネルは、地面に対して上下方向に開閉可能であることを特徴とする。
本発明によれば、狭い通路等の限られた空間に設置する場合においても、分別用ゴミ箱の前扉の開閉に支障はなく、前扉を完全に開閉することが可能となる。したがって、ゴミ箱本体からの容器の出し入れが不可能あるいは困難となることがない。
【０００６】
本発明に係る分別用ゴミ箱において、前記パネルには、前記パネルを開方向に付勢する付勢手段が取付けられていることを特徴とする。
本発明によれば、パネルに取付けられた付勢手段の付勢力を利用してパネルを開くことにより、大きな力を付与せず容易にパネルを開くことが可能となるため、作業性が向上する。
【０００７】
本発明に係る分別用ゴミ箱において、前記付勢手段は板状に構成されたバネとされ、このバネは、前記ゴミ箱本体の上部に設けられた軸に巻き取られるように設置され、前記ゴミ箱本体の前面の上部から垂下してその先端が前記パネルの下端に取付けられていることを特徴とする。
本発明によれば、ゴミ箱本体内部の空間を確保したままパネルに取付けられたバネの付勢力を利用することが可能である。
【０００８】
本発明に係る分別用ゴミ箱において、前記パネルの下端であって前記パネルの内側には、ラッチが設けられることを特徴とする。
本発明によれば、パネルの下端であって内側に設けられたラッチが外部から視認できないため、外観品質が向上する。また、ラッチが外部から視認できないことで、第三者がラッチを故意に破損するような事態を回避しやすくなる。
【０００９】
本発明に係る分別用ゴミ箱において、前記ゴミ箱本体及び前記パネルは、押出し加工によって製造された押出し部材を組立てて形成されることを特徴とする。
押出し加工によって製造された押出し部材は、同一形状部材が１または数種類に製造されたものである。したがって、製造工程が簡素化されるため、製造コスト及び製造時間の縮減が図れる。
また、分別用ゴミ箱は、ゴミ箱の必要な容量に合わせて奥行き及び長さを自由に設定して組立てることが可能である。
【００１０】
本発明に係る分別用ゴミ箱は、前記押出し部材の材質がアルミニウムであることを特徴とする。
本発明によれば、押出し部材を製造する際の押出し加工を容易に行うことができ、かつ押出し部材で組立てられた分別用ゴミ箱が耐久性及び美観性を具備することとなる。
【発明の効果】
【００１１】
本発明の分別用ゴミ箱によれば、パネルが地面に対して上下方向に開閉可能であることにより、狭い通路等の限られた空間に設置する場合においても、分別用ゴミ箱の前扉の開閉に支障はなく、前扉を完全に開閉することが可能となるので、限られた空間に設置されても分別用ゴミ箱を有効に使用することができる。
【発明を実施するための最良の形態】
【００１２】
以下、本発明の実施の形態について、図面を参照して説明する。
図１〜図４は、本発明に係る分別用ゴミ箱の実施の形態を示す図である。
分別用ゴミ箱１０は、ゴミ箱本体１１と、パネル１２と、蓋部１３とを備えている。
ゴミ箱本体１１は、底面部１４と、側面部１５，１６と、背面部１７と、４本の支柱部１８〜２１とを備えている。また、ゴミ箱本体１１の前面にはパネル１２が設けられている。これら底面部１４、側面部１５，１６、背面部１７及びパネル１２はそれぞれ、立設された４本の支柱部１８〜２１のいずれかに両端を支持されて設置されている。これら底面部１４、側面部１５，１６、背面部１７及びパネル１２によって矩形の箱が形成され、内部に分別ゴミ用の容器１を収納できるようになっている。なお、これら底面部１４、側面部１５，１６、背面部１７及び支柱部１８〜２１は、押出し加工によって製造されたアルミニウム製の押出し部材によって形成されている。特に、底面部１４及び側面部１５，１６は、図５に示す同一形状の押出し部材Ａを組立てて形成されている。
【００１３】
支柱部１８，１９の上部には前面上枠部２２が架設され、支柱部２０，２１の上部には後面上枠部２３が架設されている。
前面上枠部２２の両端には、前面上枠部２２の長手方向に延在した軸としての回転軸部２４，２５が設けられており、回転軸部２４，２５には、それぞれ板状に構成された付勢手段としてバネ２６，２７が巻き付けられている。
【００１４】
パネル１２は、ゴミ箱本体１１の前面において、地面に対して上下方向に開閉可能となるように設置されている。このパネル１２の下端には、回転軸部２４，２５に巻き取られたバネ２６，２７の先端が取付けられている。パネル１２を閉じた状態では、バネ２６，２７の先端が回転軸部２４，２５から引き出されてパネル１２の内面に沿って垂下している。このパネル１２を閉じた状態から開放する際、バネ２６，２７の上方向すなわち開方向への付勢力を用いて開放する。
また、パネル１２は、図５に示すように、押出し加工によって製造されたアルミニウム製の押出し部材、特に、底面部１４及び側面部１５，１６と同一断面形状の押出し部材Ａを組立てて形成されている。
パネル１２の下端の内部には、図５に示すように、パネル１２を閉じたときの留め金としてラッチ２８が設けられている。このラッチ２８は、パネル１２を閉じたときバネ２６，２７の上方向への付勢力によってパネル１２が開いてしまわないように、底面部１４に設けられた突起部２９に係止されるようになっている。
【００１５】
蓋部１３は、ゴミ箱本体１１及びパネル１２の上部に、ゴミ箱本体１１を覆うように設けられている。この蓋部１３には、分別用ゴミ箱１０に投入されるゴミを明確に分別して投入できるように、複数の離間した投入口１３ａ，１３ｂ，１３ｃ，１３ｄが設けられている。この場合、分別用ゴミ箱１０の内部には、各投入口１３ａ，１３ｂ，１３ｃ，１３ｄの直下の位置に容器１がそれぞれ収納されることとなる。
また、蓋部１３は、投入口１３ａ，１３ｂ，１３ｃ，１３ｄの形成が容易であるＡＢＳ樹脂等の熱可塑性樹脂からなっている。
【００１６】
上記の構成からなる分別用ゴミ箱１０において、分別用ゴミ箱１０の内部に収納する容器１を出し入れする際、閉じられた状態のパネル１２を上方向に引き上げながら開く。このとき、回転軸部２４，２５に取付けられたバネ２６，２７が回転軸部２４，２５に巻き取られることでパネル１２に対して上方向に付勢力が働くため、大きな力を付与することなくパネル１２を上方向に引き上げることができる。一方、開いた状態のパネル１２を下方向に押し下げながら閉じる。このとき、回転軸部２４，２５に取付けられたバネ２６，２７の先端がパネル１２とともに押し下げられ、回転軸部２４，２５に巻き取られたバネ２６，２７が引き出されることによりパネル１２に対し上方向に付勢力が働くが、パネル１２の自重とパネル１２を押し下げる力とによってその付勢力の影響をほとんど受けることなく、大きな力を付与せずにパネル１２を下方向に押し下げることができる。
【００１７】
この場合、パネル１２が地面に対して上下方向に開閉可能であることにより、パネル１２を開閉するための空間を平面的に設ける必要はない。これにより、例えば狭い通路等の限られた空間に分別用ゴミ箱１０を設置した場合においても、パネル１２を支障なく完全に開閉することが可能となる。したがって、ゴミ箱本体１１から容器１を出し入れすることが容易である。
【００１８】
また、パネル１２に取付けられたバネ２６，２７の付勢力を利用してパネル１２を開閉することにより、大きな力を付与せず容易にパネル１２の開閉を行うことが可能となるため、パネル１２の開閉のみならず、パネル１２を開閉して分別用ゴミ箱１０から容器１を出し入れする一連の出し入れ作業における作業性が向上することとなる。
【００１９】
また、バネ２６，２７が、板状に構成されて前面上枠部２２の両端に設けられた回転軸部２４，２５に巻き取られるように設置され、前面上枠部２２の両端から垂下してその先端をパネル１２の下端に取付けられることにより、分別用ゴミ箱１０の内部の空間を確保したままで、パネル１２に取付けられたバネ２６，２７の付勢力を利用することが可能である。
【００２０】
また、パネル１２の下端内部にラッチ２８を設けたことにより、ラッチ２８が外部から視認できないため、凸部を有しない形状となり、外観品質が向上する。また、ラッチ２８が外部から視認できないことで、第三者がラッチ２８を故意に破損するような事態を回避しやすくなる。
【００２１】
また、押出し加工によって製造された押出し部材は、同一形状部材が１または数種類に製造されたものである。したがって、押出し加工の製造工程が簡素化されるため、製造コスト及び製造時間の縮減が図れる。
また、分別用ゴミ箱１０は、製造された押出し部材を組立てて形成されるため、ゴミ箱の必要な容量に合わせて奥行き及び長さを自由に設定して組立てることが可能である。
さらに、押出し部材の材質がアルミニウムであることにより、押出し部材を製造する際の押出し加工を容易に行うことができ、かつ押出し部材で組立てられた分別用ゴミ箱１０が耐久性及び美観性を具備することとなる。
【００２２】
上記の構成によれば、狭い通路等の限られた空間に分別用ゴミ箱１０を設置した場合においても、パネル１２を支障なく完全に開閉することが可能となるので、限られた空間に設置されてもゴミ箱本体１１から容器１を出し入れすることが容易となり、分別用ゴミ箱１０を有効に使用することができる。
【００２３】
なお、本実施形態において、バネ２６，２７を前面上枠部２２の両端に計２個設けているが、分別用ゴミ箱１０の大きさ、特に幅方向の長さに応じてその個数を増減させてもよい。
また、加工容易性、耐久性及び美観性の観点から、分別用ゴミ箱１０の材質をアルミニウムとしているが、アルミニウムに代わる材質を用いて分別用ゴミ箱１０を製造してもよい。
さらに、押出し部材Ａは箱型断面の形状とされているが、強度上問題なければ、箱型断面の形状に限るものではない。
【図面の簡単な説明】
【００２４】
【図１】分別用ゴミ箱の斜視図である。
【図２】パネルを開いた分別用ゴミ箱の斜視図である。
【図３】内部に容器を収納した分別用ゴミ箱の断面図である。
【図４】分別用ゴミ箱のパネルにバネを取付けた状態を示す斜視図である。
【図５】パネルを構成する押出し部材及び底面部の断面の部分拡大図である。
【符号の説明】
【００２５】
１  容器
１０  分別用ゴミ箱
１１  ゴミ箱本体
１２  パネル
１３  蓋部
２６，２７  バネ（付勢手段）
【図１】
2005126161.tif 000003
【図２】
2005126161.tif 000004
【図３】
2005126161.tif 000005
【図４】
2005126161.tif 000006
【図５】
2005126161.tif 000007